(57)【要約】【課題】スピーカを平板状の背面パネルで覆う場合に外観を悪化させることなく、音道を確実に確保する。【解決手段】筐体の内部にスピーカ８が内蔵された携帯電話機１において、筐体の少なくとも一部をスピーカ８の放音孔９が貫通形成された平板状の背面パネル４で覆う。スピーカ８を成型品よりなるスピーカホルダ１０に保持された状態で背面パネル４に固定し、スピーカホルダ１０から延びる突起１０ｃを放音孔９から突出させ、この突起１０ｃの先端を背面パネル４の表面から所定高さｈだけ飛び出させる。【選択図】図１
2015186122.tif 000002
【特許請求の範囲】
【請求項１】
筐体の内部にスピーカが内蔵された電子機器において、
上記筐体は、少なくとも一部が上記スピーカの放音孔が貫通形成された平板状のパネルで覆われ、
上記スピーカは、成型品よりなるスピーカホルダに保持された状態で上記パネルに固定され、
上記スピーカホルダから延びる突起が上記放音孔から突出し、該突起の先端が上記パネルの表面から所定高さ飛び出している
ことを特徴とする電子機器。
【発明の詳細な説明】
【技術分野】
【０００１】
本発明は、筐体の内部にスピーカが内蔵された電子機器に関するものである。
【背景技術】
【０００２】
従来より、スピーカは、電子機器の筐体の内部に配置され、その筐体に設けた放音孔から音声が放音されるようになっている。
【０００３】
例えば、特許文献１のような電子機器では、載置面との間に放音のための隙間を確保するためにスタンドの載置面にＵ字状凸部が設けられている。
【先行技術文献】
【特許文献】
【０００４】
【特許文献１】特開２００８−４２５０７号公報
【発明の概要】
【発明が解決しようとする課題】
【０００５】
しかしながら、特許文献１のような電子機器では、載置面が常に目に触れないので、外観を気にすることがないが、例えば図６に示すように、携帯電話機１０１では、樹脂成型品よりなる筐体１０３の端部に凸部１０３ａを設けているので、凸部１０３ａが目立って外観が悪くなる。また、凸部１０３ａが背面パネル１０４の放音孔１０９から離れた位置にあるので、背面パネル１０４側をテーブル等に載置したときに、背面パネル１０４が反っていると、音道を十分に確保できないという問題がある。また、背面パネル１０４は、平坦なので、スピーカ１０８を取り付けるときの位置決めをするものがなく、そのために治具を用いれば、組立時間が長くなる。
【０００６】
本発明は、かかる点に鑑みてなされたものであり、その目的とするところは、スピーカを平板状のパネルで覆う場合に外観を悪化させることなく、音道を確実に確保することにある。
【課題を解決するための手段】
【０００７】
上記の目的を達成するために、この発明では、スピーカを保持するスピーカホルダに音道確保用の突起を設けるようにした。
【０００８】
具体的には、本発明では、筐体の内部にスピーカが内蔵された電子機器を前提とし、
上記筐体は、少なくとも一部が上記スピーカの放音孔が貫通形成された平板状のパネルで覆われ、
上記スピーカは、成型品よりなるスピーカホルダに保持された状態で上記パネルに固定され、
上記スピーカホルダから延びる突起が上記放音孔から突出し、該突起の先端が上記パネルの表面から所定高さ飛び出している。
【０００９】
すなわち、平板状のパネルには、成形の関係から音道確保のための突起を設けることができないが、上記の構成によると、突起を樹脂成型品等よりなるスピーカホルダに設けることができるので、筐体自体に突起を設ける必要がなく、その外観が悪化しない。また、スピーカホルダの突起を放音孔から露出させるようにしているので、スピーカホルダをパネルに固定するときに突起を位置決めに使うことができる。このため、治具を使用する必要がなく、組付が容易である。また、パネルに塗装を行う場合に突起があると、塗装が剥がれやすいが、スピーカホルダ自体を彩色しておけば、突起の塗装が必要なく、塗装が剥がれることはない。また、突起が放音孔から覗いているので、突起が近く、パネルが反った場合でも、音道確保効果が低下しにくい。
【発明の効果】
【００１０】
以上説明したように、本発明によれば、スピーカホルダから延びる突起を平板状のパネルに設けた放音孔から突出させ、その先端をパネルの表面から所定高さ分だけ飛び出すようにしたので、スピーカを平板状のパネルで覆う場合に、外観を悪化させることなく、音道を確実に確保することができる。
【図面の簡単な説明】
【００１１】
【図１】図２のＩ−Ｉ線拡大断面図である。
【図２】本発明の実施形態に係る携帯電話機を示す背面図である。
【図３】携帯電話機を示す分解斜視図である。
【図４】スピーカ及びその周辺を拡大して示す分解斜視図である。
【図５】スピーカホルダを拡大して示し、（ａ）が背面から見た斜視図で、（ｂ）が正面から見た斜視図である。
【図６】従来のスピーカ及びその周辺を拡大して示す断面図である。
【発明を実施するための形態】
【００１２】
以下、本発明の実施形態を図面に基づいて説明する。
【００１３】
図２及び図３は、本発明の実施形態の電子機器としての携帯電話機１を示し、この携帯電話機１は、例えば、正面側にタッチパネルを含む液晶表示部２が収容される筐体３を備えている。筐体３の背面側は、平らな矩形板状の背面パネル４で覆われている。背面パネル４の正面側には、メイン基板５や充電池６が収容されている。充電池６の下方に配置され、メイン基板５に接続されるサブ基板７には、スピーカ８が接続されている。背面パネル４は、例えば、金属板の削り出しや樹脂製平板の機械加工で成形される。
【００１４】
背面パネル４のスピーカ８に対応する部分には、例えば左右に延びる直線状の放音孔９が形成されている。そして、スピーカ８は、例えば樹脂成型品よりなるスピーカホルダ１０に保持された状態で筐体３内に固定されている。
【００１５】
具体的には、図１及び図４に拡大して示すように、スピーカ８は、スピーカホルダ１０の正面側に突出する枠部１０ａに収容された状態で、矩形状のスピーカ用開口１０ｂから振動板側が露出するようになっている。振動板部分は、背面側から防塵用メッシュ１１で覆われ、矩形枠状のホルダ固定用両面テープ１２によって放音孔９の周縁に貼り付けられるようになっている。
【００１６】
そして、図５に拡大して示すように、スピーカホルダ１０の背面側のスピーカ用開口１０ｂの周縁には、突起１０ｃが放音孔９から突出するように延びている。図１に拡大して示すように、組付状態では、突起１０ｃの先端が背面パネル４の表面から所定高さｈだけ飛び出している。本実施形態では、突起１０ｃの形状は、位置決めの目的等から放音孔９の一方の端部の形状に対応させて背面視長円形としているが、これに限定されない。このように、平板状の背面パネル４には、成形の関係から音道確保のための突起１０ｃを設けることができないが、本実施形態では、突起１０ｃを樹脂成型品等よりなるスピーカホルダ１０に設けることができるので、筐体３の外観が悪化しない。
【００１７】
次いで、本発明の実施形態に係るスピーカ８の取り付け手順について説明する。
【００１８】
予め背面パネル４には、塗装を施しておく。スピーカホルダ１０は、樹脂材料自体に彩色を加えておけばよい。背面パネル４に塗装を行う場合に突起１０ｃがあると、塗装が剥がれやすいが、スピーカホルダ１０自体を彩色しておけば、突起１０ｃの塗装が必要なく、塗装が剥がれることはない。
【００１９】
そして、図４に拡大して示すように、まず、スピーカホルダ１０の枠部１０ａにスピーカ８を嵌め込み、スピーカ用開口１０ｂから振動板側が露出するようにしておく。
【００２０】
次いで、両面テープなどにより防塵用メッシュ１１をスピーカ用開口１０ｂの背面側に貼り付ける。
【００２１】
次いで、ホルダ固定用両面テープ１２をスピーカホルダ１０の背面側に貼り付ける。
【００２２】
そして、スピーカホルダ１０を背面パネル４に正面側から貼り付ける。このとき、突起１０ｃを放音孔９の一方の端部に差し込むようにスピーカホルダ１０を貼り付ければよいので、治具を使わなくても、極めて簡単かつ正確にスピーカホルダ１０を固定することができる。
【００２３】
このようにして組み立てた携帯電話機１では、図１に示すように、突起１０ｃが放音孔９から覗いているので、突起１０ｃが放音孔９から近く、背面パネル４側をテーブルの上などに載置したときに、背面パネル４が反っていても、音道確保効果が低下しにくい。また、突起１０ｃを筐体３に設けた場合に比べて高さｈを小さくすることができるので、突起１０ｃが目立たない。
【００２４】
したがって、本実施形態に係る携帯電話機１によると、スピーカ８を平板状の背面パネル４で覆う場合に、外観を悪化させることなく、音道を確実に確保することができる。
【００２５】
（その他の実施形態）
本発明は、上記実施形態について、以下のような構成としてもよい。
【００２６】
すなわち、上記実施形態では、電子機器は、携帯電話機１としたが、スピーカ８を有するタブレット端末、ＰＨＳ（Personal Handy-phone System）、ＰＤＡ(PersonalDigital Assistant)、パソコン、モバイルツール、電子辞書、電卓、ゲーム機等であってもよく、特に小型の、液晶ディスプレイ、液晶テレビ、ブルーレイ（ＤＶＤ）レコーダ等であってもよい。
【００２７】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２８】
１      携帯電話機（電子機器）
２      液晶表示部
３      筐体
４      背面パネル（平板状のパネル）
５      メイン基板
６      充電池
７      サブ基板
８      スピーカ
９      放音孔
１０      スピーカホルダ
１０ａ    枠部
１０ｂ    スピーカ用開口
１０ｃ    突起
１１      防塵用メッシュ
１２      ホルダ固定用両面テープ
【図１】
2015186122.tif 000003
【図２】
2015186122.tif 000004
【図３】
2015186122.tif 000005
【図４】
2015186122.tif 000006
【図５】
2015186122.tif 000007
【図６】
2015186122.tif 000008